(57)【要約】靴に使用される靴紐固定具であって、底部と、該底部の一端から該底部の所在表面を横に渡って突出される頚部と、頚部が横方向に底部の他端に向かって伸びるアーム部とを備える。アーム部、頚部、底部は共に靴紐の収納に用いる収納孔を形成し、アーム部の末端には底部に向かって止め部が突出され、前記止め部および底部間は収納孔に連通され、かつ高さが収納孔の高さより低い開口を形成し、開口の高さは弾性可能に靴紐を押圧することで靴紐が押圧された後に開口を通じて収納孔内に配置されるように設定されている。開口および収納孔は収縮口式構成を形成し、靴紐固定具の弾性的な押圧により靴紐を弾性的に収縮口式構造内に係止し、または該収縮口式構造内から取出し、それにより、便利に靴紐を靴紐固定具上に固定し、かつ靴紐は収縮口式構造内で自由に摺動できる。本発明は靴紐固定具を持つ靴を公開すると同時に、靴紐固定具、靴紐および靴紐緩さ制御装置を同時に有する靴も公開する。
2011512178.tif 000002
【特許請求の範囲】
【請求項１】
靴に使用される靴紐固定具であって、底部と、該底部の一端から底部所在の表面を横に渡って突出される頚部と、前記頚部から横方向に底部の他端に向かって伸びるアーム部とを備え、該アーム部、前記頚部、前記底部は靴紐の収納に用いる収納孔を形成し、前記アーム部の末端には前記底部に向かって止め部が突出され、前記止め部および前記底部間は前記収納孔に連通され、かつ高さが収納孔の高さより低い開口を形成し、該開口の高さは弾性可能に靴紐を押圧することで、靴紐が押圧された後に前記開口を通じて前記収納孔内に配置されるように設けられていることを特徴とする靴に使用される靴紐固定具。
【請求項２】
前記頚部および前記底部の間、および前記アーム部との間は湾曲表面を遷移面にし、前記湾曲表面は内側に凹んでいる円弧面であり、前記アーム部上には前記靴紐固定具の材料の厚さを均一に促し、前記靴紐固定具を促して使用される時の力受けを均一にする材料均一孔が設けられ、前記底部の前記頚部から遠く離れている表面上には前記靴紐固定具の材料の厚さを均一に促し、前記靴紐固定具を促して使用されるときの力受けを均一にする材料均一孔が設けられ、前記底部上で、前記頚部を形成する一端に相対する他端には外側に向かって係合部が形成され、該係合部は前記底部上において、前記頚部を形成する一端から他端にファンリング形状を拡散し、または前記係合部は前記底部上において、前記頚部の一端から他端に漸次曲面に湾曲され、かつ甲被の円弧度との係合が更に適切されることを特徴とする請求項１に記載の靴紐固定具。
【請求項３】
靴紐通し孔の片側には靴紐の係止に用いる２つ列歯が設けられ、前記歯は対称して底部およびアーム部に分布され、前記２つ列歯の距離は頚部から漸次に外向きに大きく変更され、頚部の端部に隣接する距離は靴紐が完全に押圧された後のサイズより若干小さくなり、最外部の距離はアーム部および底部間の距離に等しいことで、靴紐が大きい距離箇所から入り、小さい距離箇所に固定されることを特徴とする請求項１または２に記載の靴紐固定具。
【請求項４】
靴であって、１対の靴目上に分布されている多数の靴紐固定具を含み、該靴紐固定具は、底部と、該底部の一端から前記底部所在の表面に横に渡って突出される頚部と、該頚部から横方向に底部の他端に向かって伸びているアーム部とを備え、該アーム部、前記頚部および前記底部は共に靴紐の収納に用いる収納孔を形成し、前記アーム部の末端には前記底部に向かって止め部が突出され、前記止め部および前記底部間には前記収納孔に連通され、かつ高さが前記収納孔の高さより低い開口が形成され、前記開口の高さは弾性可能に靴紐を押圧することで、靴紐が押圧された後に前記開口を通じて前記収納孔内に配置されるように設定されることを特徴とする靴。
【請求項５】
前記頚部および前記底部間および、前記アーム部との間は湾曲表面を遷移表面にし、前記湾曲表面は内側に凹んでいる円弧面であり、記底部上において、前記頚部を形成する一端に対向する他端には外向きに伸びて係合部を形成することを特徴とする請求項４に記載の靴。
【請求項６】
靴であって、底部、該底部の一端から前記底部所在の表面に横に渡って突出される頚部、該頚部から横方向に底部の他端に向かって伸びているアーム部を含み、該アーム部、前記頚部および前記底部は共に靴紐の収納に用いる収納孔を形成し、前記アーム部の末端には前記底部に向かって止め部が突出され、前記止め部および前記底部間には前記収納孔に連通され、かつ高さが前記収納孔の高さより低い開口が形成され、前記開口の高さは弾性可能に靴紐を押圧することで、靴紐が押圧された後に前記開口を通じて前記収納孔内に配置されるように設定されており、かつ１対の靴目上に分布されている多数の靴紐固定具と、連続的に交叉され、かつ前記靴紐固定具の開口を通じて前記収納孔内に進入され、かつ前記靴紐の引締めに用いる２つの靴紐先を有する靴紐と、プレート体および該プレート体の両側に形成される指状部を含み、前記プレート体および前記指状部間には靴紐通し孔が設けられ、それぞれの指状部およびプレート体間には前記靴紐通し孔に連通される通路が形成されている係止部材、ガイディング部材を含み、該ガイディング部材の内部は前記係止部材をその内部に制限し、かつ前記ガイディング部材を貫通する収納空間を有し、前記靴紐先は前記靴紐通し孔および前記通路を通し、かつ前記収納空間を貫通し、前記収納空間は前記係止部材を促すことで該係止部材が前記ガイディング部材に対して選択的に前記靴紐の長手方向に沿って移動され、それにより、プレート体および指状部間の距離が変化され、更に前記靴紐を挟持し、またはプレート体および指状部間に弛緩される靴紐緩さ制御装置とを備えることを特徴とする靴。
【請求項７】
前記プレート体の１つ端部上にはそれぞれ外向きに湾曲して１対の湾曲部が形成され、前記指状部は前記湾曲部の末端から伸びて形成され、かつ前記靴紐通し孔は前記湾曲部上に形成され、前記プレート体の他の端部には押圧柄が設置され、かつ２つの端部間には相互に平行する１対の上表面および下表面が設けられ、前記プレート体の上表面には上表面から突出され、かつプレート体の２つの端部間に伸びているガイド溝が形成され、前記下表面には下表面から突出され、かつプレート体の２つの端部間に伸びているガイド溝が設けられ、前記ガイディング部材は相互に平行するトップ壁、底壁、同時に両者に連結する１対の側壁を有し、２つの前記側壁とトップ壁および底部壁は共に前記収納空間を形成し、それぞれのトップ壁および底部壁の内表面上にはガイド部材上のガイド溝に対応する凸縁が縦方向に設けられ、凸縁に対応してガイド溝内での摺動を介してガイディング部材内での係止部材の所定運動を引起こし、前記プレート体の湾曲部に隣接する端部には第１位置決め孔が設けられ、２つ側壁の連結部において、前記ガイディング部材は前記収納空間の内部に向かって伸び、かつその内部には第２位置決め孔が設けられ、１つの圧縮弾性要素の一端は前記第１位置決め孔を被覆して設置され、他端は第２位置決め孔内に収納され、前記係止部材は圧縮弾性要素を介して前記ガイディング部材内に制限され、前記圧縮弾性要素は圧縮ばねであり、前記ガイディング部材のそれぞれ側壁の底部および前記凸柱間には前記係止部材の靴紐通し孔に対応し、かつ前記収納空間に連通される靴紐穿設孔が形成されていることを特徴とする請求項６に記載の靴。
【請求項８】
前記プレート体の２つ端部間には同時に上下表面に連結される２つの側面が更に設置され、それぞれの前記側面上には第１歯状部が形成され、それぞれの前記指状部はプレート体の対応側面に隣接する内壁面を有し、前記内壁面上には前記プレート体の側面上の第１歯状部に対応する第２歯状部が形成され、それぞれの前記湾曲部、該湾曲部から伸びている指状部およびプレート体の対応側面間は共に前記通路を形成し、前記靴紐の靴紐先は前記靴紐通し孔、前記通路および前記靴紐穿設孔を通して前記収納空間を貫通することを特徴とする請求項７に記載の靴。
【請求項９】
それぞれの前記指状部はその内壁面に対向する外壁面を有し、前記外壁面はプレート体の内側に凹んでいる凹部壁および該凹部壁に接続される傾斜作用壁を含み、前記ガイディング部材のそれぞれ側壁は収納空間に向かっている内壁面を有し、前記内壁面は第１ガイド内壁、第２ガイド内壁、前記第１内壁および第２ガイド内壁を接続する遷移内壁を含み、２つの前記第１ガイド内壁は幅が２つ指状部および靴紐を同時に圧縮するときの両者間の最大距離より若干短い開口を共に形成し、かつ２つの遷移内壁間の距離は、遷移内壁および第１ガイド内壁間の接続部から遷移内壁および第２ガイド内壁間の接続部まで漸次に増加され、２つの前記第２ガイド内壁間の距離は、係止部材の２つ指状部が圧縮されないときの両者間の最大距離より大きいことを特徴とする請求項８に記載の靴。
【請求項１０】
前記圧縮ばねは前記係止部材の２つ指状部の傾斜作用壁を促してそれぞれガイディング部材の２つ遷移内壁上に弾性的に当接させ、かつ遷移内壁が傾斜作用壁に対する作用力は指状部をプレート体に向かって圧縮させ、更に指状部の第２歯状部およびプレート体の第１歯状部に対して靴紐の第１靴紐先および第２靴紐先をそれぞれ押圧するようにし、それによって靴紐が押圧されて係止部材に対して摺動するこができなくなり、前記傾斜作用壁は使用者が押圧柄に対する押圧により漸次に遷移内壁に沿って第２ガイド内壁に向って移動することで、傾斜作用壁は漸次に遷移内壁に沿って第２ガイド内壁に向って移動し、それにより、指状部およびプレート体間の距離が漸次に増加し、更に靴紐を緩くし、前記ガイディング部材のトップ壁および底部壁上には使用者がガイディング部材に対する把持力の増加に用いる歯状テクスチャが形成されていることを特徴とする請求項９に記載の靴。
【発明の詳細な説明】
【技術分野】
【０００１】
本発明は靴類製品、特に靴に使用される靴紐固定具に関し、靴紐固定具を有する靴、同時に靴紐固定具、靴紐および靴紐緩さ制御装置を有する靴に関連する。
【背景技術】
【０００２】
靴は人類の日常生活の中で必要な製品である。既存の靴は主に２種類が存在し、その１種類として、靴紐を有しない革靴のような靴は履き方が簡単で、便利で速い。他の１種類として、靴紐を有する運動靴のような靴は履き方において力および時間が掛るが、靴を締める場合では靴紐を有しない靴に比べて明らかな優勢を持ち、例えば、長時間運動の状況（例えば長距離のゆっくり走り、激しいバスケットボールまたはサッカー等）で、靴紐が締めている運動靴は足に良好に履かれており、足から外れることないが、靴紐を有しない靴は、足から外れる可能性が多い。それ以外に、靴紐を有する靴は所定の美観性を有するため所定の市場使用性を持ち、靴紐を有しない靴により引換えられることがない。
【０００３】
紐締め式靴において、靴紐および靴間の適合方式は多種である。その１つの適合方式は、靴の靴目上に多数の靴紐孔を設置し、靴紐は靴紐孔内から連続的に通され、それから靴紐をしっかり締めて結びついて靴を履く。しかし、このような適合方式は靴に損害を与えしやすい。それは、靴紐および靴目間の相互の作用力が非常に大きいため、靴孔を容易に引裂することで靴に損傷を与える。それ以外に、靴紐および靴間の摩擦力が非常に大きいため、更に靴を容易に締め付けることができない。
他の改善された靴紐および靴間の適合関係は靴紐固定具により実現される。図１では改善された靴紐固定具の構造を示す。図のように、靴紐固定具２０は金属材料またはプラスチック材料から製造され、かつ独立の製品として出現される。それは適切なデバイス例えば針車、またはリベットを介して靴上に固定される。靴紐固定具２０上には靴紐穿孔２２が設けられ、靴紐１０は該靴紐穿孔２２から連続的に通されており、それから靴紐１０を引締め、使用者は依然として力および時間をかけて靴紐を順番に靴紐固定具の靴紐穿孔を通させるため、使用は依然として面倒である。
【０００４】
他の靴紐固定具は図２ａ−２ｂに示す。図のように、靴紐固定具２０’は底部２１、該底部２１から形成された突出部２３、該突出部２３から湾曲して形成された湾曲部２４を含む。該湾曲部２４および突出部２３間は半分開口された楔部２５を形成する。多数の靴紐固定具２０’を靴上に取り付けた後に、使用者は方向Ｒに沿って靴紐１０’を楔形部２５に引締めば良いで、それは楔形部２５自身の構造が靴紐を楔形部２５に係合されるためである。該靴紐固定具の構造は半分開口式を採用するため、靴紐の穿孔動作を免れる。しかし、楔形部が一旦靴紐を挟持すると、靴紐の緩さは調整しにくいため、面倒に靴紐をそれぞれの靴紐固定具から離させてから緩さ程度を調整しなければならない。そのため、使用が非常に不便である。
そのため、靴紐固定具を提供し、それにより、既存技術の欠点および不足を克服する。
【発明の概要】
【発明が解決しようとする課題】
【０００５】
本発明の課題は靴紐固定具、靴紐固定具を有する靴と、同時に靴紐固定具と靴紐および靴紐緩さ制御装置を有する靴とを提供し、速くて、かつ便利に靴紐を引締めまたは交換することができる。
【課題を解決するための手段】
【０００６】
前記課題を実現するため、本発明は靴に使用される靴紐固定具を提供し、底部と、該底部の一端から該底部の所在表面を横に渡って突出される頚部と、該頚部から横方向に底部の他端に向かって伸びるアーム部とを備える。アーム部、頚部および底部は共に靴紐の収納に用いる収納孔を形成し、アーム部の末端には底部に向かって止め部が突出され、該止め部および底部間は前記収納孔に連通され、かつ高さが収納孔の高さより低い開口を形成し、開口の高さは弾性的に靴紐を押圧し、靴紐が押圧された後に開口により収納孔内に収納されるように設定される。
【０００７】
本発明は靴紐固定具を有する靴を提供し、靴紐固定具は底部と、該底部の一端から該底部の所在表面を横に渡って突出される頚部と、該頚部から横方向に底部の他端に向かって伸びるアーム部とを備え、アーム部、頚部および底部は共に靴紐の収納に用いる収納孔を形成し、該アーム部の末端には底部に向かって止め部が突出され、該止め部および該底部間は前記収納孔に連通され、かつ高さが前記収納孔の高さより低い開口を形成し、開口の高さは弾性的に靴紐を押圧し、靴紐が押圧された後に開口により収納孔内に収納されるように設定される。
【０００８】
本発明は靴紐固定具、靴紐、靴紐緩さ制御装置を有する靴を提供し、該靴は、該靴紐固定具は底部、該底部の一端から該底部の所在表面を横に渡って突出される頚部、該頚部から横方向に底部の他端に向かって伸びるアーム部を含み、アーム部、頚部および底部は靴紐の収納に用いる収納孔を形成し、該アーム部の末端には該底部に向かって止め部が突出され、前記止め部および前記底部間は前記収納孔に連通され、かつ高さが前記収納孔の高さより低い開口を形成し、開口の高さは、弾性的に靴紐を押圧し、靴紐が押圧された後に開口により収納孔内に収納されるように設定されており、かつ１対の靴目上に分布されている多数の靴紐固定具と；連続的に交叉され、かつ前記靴紐固定具の開口により前記収納孔内に収納され、その両端部が相互に連結される密閉式リング形の靴紐と；靴紐緩さ制御装置は、プレート体および該プレート体の両側に形成されている指状部を含み、前記プレート体および前記指状部間には靴紐通し孔が設けられ、それぞれの指状部およびプレート体間は前記靴紐通し孔に連通される通路が形成されている係合部材、ガイディング部材とを含み、該ガイディング部材内は前記係合部材をその内部に収納し、かつ前記ガイディング部材を貫通する収納空間を有し、靴紐先は靴紐通し孔および前記通路を貫通し、かつ前記収納空間を貫通し、前記収納空間は前記係合部材を促すことに適用され、該係合部材が前記ガイディング部材に対して選択的に靴紐の長手方向に沿って移動し、それにより、プレート体およびと指状部間の距離が変更され、更に前記靴紐を挟持し、またはプレート体および指状部間に弛緩させる靴紐緩さ制御装置とを備える。
【０００９】
本発明の特徴として、靴紐固定具の開口および収納孔が収縮口型構造を構成するため、靴紐固定具を通じて靴紐に対する弾性的な押圧により靴紐を弾性的に収縮口型構造内に係止し、または収縮口型構造内から取出すことができ、それによって靴紐を便利に靴紐固定具上に係止し、かつ靴紐は収縮口型構造内で自由に摺動される。
下記では実施例に適合して、最適な実施例を通じて詳しく本発明に関して説明を行う。
【図面の簡単な説明】
【００１０】
【図１】従来の靴紐固定具は靴紐の１種の係合方式である。
【図２ａ】他の従来の靴紐固定具の立体構造図である。
【図２ｂ】図２ａに示す靴紐固定具および靴紐の係合方式である。
【図３ａ】本発明の第１実施例による靴紐固定具の立体図であり、同時に該靴紐固定具および靴紐間の係合関係を示す。
【図３ｂ】図３ａに示す靴紐固定具の側面図である。
【図３ｃ】図３ａに示す靴紐固定具の底面視図である。
【図３ｄ】図３ａに示す靴紐固定具の背面図である。
【図３ｅ】図３ａに示す靴紐固定具の平面図である。
【図３ｆ】は図３ｅに示す靴紐固定具がＡ−Ａ方向に沿っている断面図である。
【図３ｇ】図３ａに示す靴紐固定具の正面図である。
【図４ａ】本発明の他の実施例による靴紐固定具の立体図である。
【図４ｂ】図４ａに示す歯付き靴紐固定具の平面図である。
【図４ｃ】図４ｂ示す歯付き靴紐固定具がＢ−Ｂ方向に沿っている断面図である。
【図４ｄ】図４ｂに示す歯付き靴紐固定具がＡ−Ａ方向に沿っている断面図である。
【図５】靴紐固定具および靴紐間の係合関係である。
【図６】図５に示す靴紐固定具、靴紐および靴間の係合関係である。
【図７】本発明の１つ実施例による靴紐緩さ制御装置の平面構造図である。
【図８ａ】図７に示す靴紐緩さ制御装置の係合部材の立体図である。
【図８ｂ】図７に示す靴紐緩さ制御装置のガイディング部材の立体図である。
【図９ａ】図８ａに示す係合部材の平面図である。
【図９ｂ】図９ａに示す係合部材の側面図である。
【図１０ａ】図８ｂに示すガイディング部材の平面図である。
【図１０ｂ】図１０ａに示すガイディング部材の側面図である。
【図１０ｃ】図１０ｂに示すガイディング部材がＡ−Ａ方向に沿っている断面図である。
【図１０ｄ】図１０ａに示すガイディング部材の平面図である。
【図１１】図７に示す靴紐緩さ制御装置および靴紐間の接続関係でる。
【図１２】解剖方式により図１１に示す靴紐緩さ制御装置および靴紐間の相互作用関係である。
【図１３】靴紐固定具、靴紐、靴および靴紐緩さ制御装置間の係合関係である。
【発明を実施するための形態】
【００１１】
図を参照しながら本発明に対して記述を行う。上記のように、本発明は使用が便利で、力および時間がかからない靴紐固定具と、靴紐固定具が設けられている靴とを提供する。靴紐固定具を収縮口型構造に設計し、かつ靴紐固定具が靴紐に対する弾性的な押圧により靴紐を弾性的に収縮口型構造内に係止し、または収縮型構造内から取出し、それにより、便利に靴紐を靴紐固定具上に係止し、かつ靴紐は収縮口型構造内で自由に摺動することができる。下記では本発明が提供する靴紐固定具および靴に関して記述を行う。
【００１２】
図３ａ−３ｇのように、本発明の第１実施例の靴紐固定具３０は収縮口型構造を有する。靴紐固定具３０は底部３１、該底部３１上に突出して形成されている頚部３３、該頚部３３から横方向に伸びて形成されているアーム部３４を含む。
【００１３】
具体的に、底部３１は第１端部３１１および該第１端部３１１に対向する第２端部３１２を有する。前記頚部３３は底部３１の第１端部３１１から底部３１の所在平面に直交して上に向かって伸びて形成される。前記アーム部３４の頚部３３から底部３１に離れる一端は横方向に第２端部３１２に向かって伸びて形成される。アーム部３４の末端（即ち、頚部３３から遠く離れる一端）には底部３１に向かって止め部３４３が突出して形成される。特に、前記頚部３３および底部３１の間およびアーム部３４との間は湾曲表面を遷移面にすることが可能で、かつ優先的に内側へ凹んでいる円弧面を遷移面にし、それにより、底部３１、頚部３３、アーム部３４間は半分密閉され、かつほぼ円形である収納孔３４５を形成し、それにより、収納孔３４５の形状が更に靴紐の形状に一致することができ、または、底部３１、頚部３３、アーム部３４の間は半分密閉され、かつほぼ頚部３３から開口方向の幅が広くなる収納孔３４５を形成し、これにより、収納孔３４５の形状は更に靴紐を促して止め部３４３に密着させ、前記止め部３４３および底部３１間は開口３４４を形成し、かつ特に注意が必要なことは、前記開口３４４および収納孔３４５が連通され、かつ開口３４４の高さが収納孔３４５の高さより低くいことで、靴紐を弾性的に押圧することに良好であり、それにより、靴紐が押圧された後に前記開口３４４により前記収納孔３４５内に配置され、収縮口型構造を構成する。
【００１４】
その他に上記に記載された靴紐緩さ制御装置の積載力度を軽減するため、本発明は歯付き靴紐固定具を提供し、上記に記載された靴紐固定具上に２群の靴紐を係止する歯を添加する。
【００１５】
図４ａー４ｄに示すように、靴紐固定具３５の全体構造および上記の靴紐固定具３０が類似し、底部３５２、頚部３５７、アーム部３５１、収納孔３５５、材料均一孔３５４、靴面に係合する底面３５３２を含む。これらの部位の性能、靴紐４０および靴５０の係合方式は靴紐固定具３０１と同じである。靴紐固定具３０とは異なることは、歯付き靴紐固定具３５は靴紐固定具３０の基礎上に２群の歯３５６を添加し、２群の歯はそれぞれ歯付き靴紐固定具３５の底部３５２およびアーム部３５１に分布され、かつ頚部３５７に連結される（図４ａを参照）。歯３５６はボタンの片側（靴紐の排出口方向の片側において、背中合わせで靴目の両側に取付けているため、左右を分別する必要があり、図４ｃを参照）だけに分布される。
【００１６】
上列歯３５６１および下列歯３５６２は所定角度を有して設置され、頚部３５７１の一端に隣接する距離は靴紐４０が押圧されるときの最小直径より小さくて、他端の距離は底部３５２およびアーム部３５１間の距離に等しい。これにより、靴紐４０は距離が大きい一端から進入することができ、距離が小さい一端に進入する際に、靴紐４０は歯３５６１、３５６２の押圧を受けて係止され、靴紐の一部の緩さ効果を達成する。
【００１７】
所定の弾性を有する前記収縮口型構造は靴紐および靴紐固定具の柔軟な係合を実現する。下記では図５に合わせて両者間の係合過程を説明する。図５に示すように、所定の直径を有する靴紐４０は先ず高さが靴紐の直径より小さい開口３４４を経過する。靴紐４０の直径が開口３４４の高さより大きいため、靴紐４０は開口３４４に係止されて進入することができない。この際に、使用者は開口３４４に向って靴紐４０を引張り、開口３４４が弾性的に靴紐を圧縮することで、靴紐４０が押圧された後に開口３４４を通じて収納孔３４５内に滑り込まれる。開口３４４の高さが靴紐４０の直径より小さいため、靴紐４０は収納孔３４５内に制限されて容易に開口３４４から離れることができない。その他に、収納孔３４５は表面が鏡面である研磨円形孔であるため、靴紐４０が収納孔３４５内で摩擦力無しで自由に摺動することに良好で、かつ収納孔３４５は頚部３３から開口方向に幅が広くなるように設置され、収納孔３４５の形状は更に靴紐を促して止め部３４３に密着させる。それから、使用者はただ靴紐４０を引締め、靴紐４０を結びついて固定する。古い靴紐を交換する必要があるときに、使用者は開口３４４に向かって外側に交換される靴紐を引張るだけで、開口３４４が弾性的に靴紐を押圧して収納孔３４５から靴紐を離せばよいである。
【００１８】
本発明が提供する靴紐固定具３０は多種の方式により靴（例えば図６に示す靴５０）上に取付けられることができる。例えば、靴紐固定具３０は粘接方式を通じて靴上に固定される。選択的に、靴紐固定具３０は専用デバイス（例えば針車）を利用して靴上に取付けられる。この状況で、靴紐固定具３０上には針車に係合される構造が設置されて、針車の順調な走行に役に立つ。該構造は靴紐固定具３０の底部３１から伸びて形成される係合部３２（図３ａを参照）である。係合部３２は同時に靴の靴目内への挿入に用いられ、それにより、靴紐固定具３０が靴上に固定され、その他に、リベット方式を利用して靴紐固定具３０を靴上に取付けることができ、該状況で、靴紐固定具３０上にはリベット方式に対応して靴上に取付けられている相応構造が設置されており、ここでは説明を行わない。
【００１９】
図３ｂのように、係合部３２を容易に靴内に挿入すると同時に靴の美しさに影響を与えないため、係合部３２の厚さを段々薄くすることで、靴内への挿入に適切され、靴上に係合部３２を挿入する箇所が非常に厚くなることがないため、明らかな係合跡がない。それ以外に、係合部３２および靴間の接触面積の増強張力を増大するため、優先的に係合部３２の形状が、底部３１の第２端部の径方向から外向きにファンリング形状に拡散するように設置される。更に優先的に、係合部３２は、靴上で係合部３２に係合する箇所の形状と一致する曲面形状のような円弧曲面形状に製造され、それによって靴の美しさに影響を与えなく、かつ更に容易に係合部３２を固定することができる。例えば、取付け部３２は底部上において、前記頚部の一端から他端に漸次に遷移して曲面形状を形成することで、靴面の円弧度に更に係合される。
【００２０】
その他に、靴紐固定具３０の厚さを均一にすると同時に、靴紐固定具３０が使用される際の力の受けを更に均一にするため、靴紐固定具３０上の適切箇所に材料均一孔を設置する。例えば、図３ｃ、３ｆのように、底部３１の下表面（頚部３３から背中合わせする表面）上に材料均一孔３１４を設置する。其の他にまたは選択的に、図３ｆ、３ｅのように、アーム部３４上に材料均一孔３４１を設置することも可能である。
【００２１】
図６では靴紐固定具３０、靴紐４０および靴５０間の係合関係を示す。靴５０上の多数の靴紐固定具３０は対を成し、かつ対称して１対の靴目５４上に分布される。靴紐４０は連続的に交叉し、かつ自由に収納孔内（図５を参照）に収納される。前述のように、既存の技術に比べて、本発明が提供する靴は使用者が速くて、かつ容易に靴紐を締め付きまたは気軽に靴紐を交換することができる。
【００２２】
他の一方で、本発明は同時に靴紐を緩くし、または挟持して制御を行う靴紐緩さ制御装置を提供する。図７では靴紐緩さ制御装置６０を示し、ガイディング部材６２および該ガイディング部材６２の内部に弾性的に移動するように設けられている係止部材６１を含む。
【００２３】
図８ａ、図９ａ−９ｂでは異なる視角で係止部材６１を示している。図のように、係止部材６１は全体的に“山”文字形状を呈し、それは縦長のプレート体６１１、該プレート体６１１の長手方形の１つ端部からそれぞれ横断面方向（長手方向に垂直する）に沿って外向きの湾曲する１対の湾曲部６１２、該湾曲部６１２の末端から長手方向に伸びて形成される指状部６１３を含む。プレート体６１１と１対の湾曲部６１２およびそれぞれ湾曲部６１２から伸びる指状部６１３は共に前記“山”文字形状を形成する。
【００２４】
プレート体６１１の他の端部（湾曲部６１２を形成する端部に対向する端部）は押圧柄６１１２を構成する。２つ端部間には１対の相互に平行する上表面６１１４および下表面６１１６が設置される。上表面６１１４上には上表面６１１４から凹み、かつプレート体６１１の２つ端部の間に伸びるガイド溝６１１１が形成され、このように、下表面６１１６上にも下表面６１１６から凹み、かつプレート体６１１の２つ端部の間に伸びているガイド溝６１１１が形成される。該ガイド溝６１１１は係止部材６１に対してガイディング部材６２内でのガイド作用（下記に詳述する）を共に実現する。それ以外に、プレート体６１１の湾曲部６１２に隣接する端部には位置決め孔６１１５が設けられ、かつ該位置決め孔６１１５は２つの湾曲部６１２間に設置されて、ばねをその上に被覆することに用いられ、それにより、係止部材６１およびガイディング部材６２間の弾性の相互動作作用（下記に詳述する）を実現する。プレート体６１１の２つ端部間には同時に上下表面６１１４、６１１６に連結する２つの側面６１１８が設置される。特に、それぞれの側面６１１８上には側面６１１８および他の構造部品の増大に用いる例えば靴紐間で摩擦する摩擦構造である。優先的に、前記摩擦構造は側面６１１８上に形成されている第１歯状部６１１３であり、摩擦構造は他の業界が知る構造も可能で、例えば荒れテクスチャである。
【００２５】
それぞれの前記湾曲部６１２上には靴紐を通させる靴紐通し孔６１１７が設けられている。それぞれの前記指状部６１３はプレート体６１１の対応する側面６１１８に隣接する内壁面を有し、該内壁面上にはプレート体６１１の側面６１１８上の第１歯状部６１１３に対応する第２歯状部６１１９が形成される。第２歯状部６１１９も他の摩擦構造により代替されることができ、例えば業界が知っている他の構造の荒れテクスチャなどである。注意することとして、それぞれの湾曲部６１２、該湾曲部６１２から伸びる指状部６１３およびプレート体６１１の対応する側面６１１８の間は共に靴紐を通させる空間（図に示せず）を形成し、通路および湾曲部６１２上の靴紐通し孔６１１７が連通する。
【００２６】
図９ａのように、それぞれの前記指状部６１３はその内壁に対向する外壁面を有する。該外壁面はプレート体６１１に向かって内側に凹んでいる凹部壁６５２および該凹部壁６５２に接続される傾斜作用壁６５１を含む。図のように、傾斜作用壁６５１および凹部壁６５２間の接続点およびプレート体６１１間の水平距離が最大（指状部６１３上に対する残り部分）である。このような構造は係止部材６１およびガイディング部材６２間の弾性変形係合に良好である。
【００２７】
下記ではガイディング部材６２の構造に対して説明を行う。図８ｂ、図１０ａ−１０ｄにおいて、ガイディング部材６２は相互に平行するトップ壁６２１、底部壁６２２、同時に両者に連結される１対の側壁６２３を有する。２つの前記側壁６２３とトップ壁６２１および底部壁６２２は前記係止部材６１の収納に用いる収納空間６２４を共に形成する。それぞれのトップ壁６２１および底部壁６２２の内表面上には係止部材６１上のガイド溝６１１１に対応する凸縁６３１が長手方向に設けられて、ガイド溝６１１１を介して凸縁６３１に係合する方向性摺動に用いられ、係止部材６１のガイディング部材６２内での所定運動を実現する。優先的に、使用者が靴紐緩さ制御装置を容易に操作させるため、ガイディング部材６２のトップ壁６２１および／または底部壁６２２上に荒れテクスチャを形成し、例えば歯状テクスチャ６３２であり、使用者がガイディング部材６２に対する把持力の増大に用いられ、図１０ｂに示している。
【００２８】
それ以外に、前記ガイディング部材６２は２つ側壁６２３の連結部で、前記収納空間６２４の内部に向かって凸柱６２６を突出し、該凸柱６２６の内部には位置決め孔６２７が設けられて、その内部にばねを制限することに利用される。それぞれの側壁６２３の底部および前記凸柱６２６間には係止部材６１の靴紐通し孔６１１７に対応する靴紐穿設孔６２５が形成され、かつ靴紐穿設孔６２５および前記収納空間６２４が連通する。その他に、それぞれの側壁６２３は収納空間６２４に対面する内壁面を有する。該内壁面は第１ガイド内壁６２８、第２ガイド内壁６３０、第１および第２ガイド内壁６２８、６３０を接続する遷移内壁６２９を含む。２つ側壁６２３の第１ガイド内壁６２８は相互に開口を形成し、その開口の幅は係止部材６１の２つ指状部６１３および靴紐が両者により同時に押圧される際の両者間の最大距離（即ち、傾斜作用壁６５１および凹部壁６５２間の接続部の位置）より若干短い。それ以外に、２つ遷移内壁６２９間の距離は上から下（遷移内壁６２９および第１ガイド内壁６２８間の接続部から遷移内壁６２９および第２ガイド内壁６３０間の接続部までの方向）漸次に増加する。２つ第２ガイド内壁６３０間の距離は係止部材６１の２つ指状部６１３が圧縮されないときの両者間の最大距離（即ち、傾斜作用壁６５１および凹部壁６５２間の接続部の位置）より若干大きい。
【００２９】
図８ａ、図９ａ、図１０ｃ、図１１および図１２のように、靴紐４０の第１靴紐先４２および第２靴紐先４１はそれぞれ係止部材６１の指状部６１３およびプレート体６１１間の通路を通し、かつ湾曲部６１２上の靴紐通し孔６１１７から出され、それから、ガイディング部材６２の靴紐穿設孔６２５内から出されている。係止部材６１はガイディング部材６２の１対第１ガイド内壁６２８に形成された開口部から、かつ係止部材６１上のガイド溝６１１１およびガイディング部材６２の凸縁６３１が係合する方向性摺動を介して収納空間６２４内に進入される。該開口の幅は係止部材６１の２つ指状部６１３および靴紐が同時に圧縮されるときの両者間の最大距離より若干小さいため、一旦係止部材６１が弾性的にガイディング部材６２内に圧縮されると、係止部材６１の自身は自動的にガイディング部材６２内から滑り出されることができない。
【００３０】
それ以外に、圧縮可能弾性要素において、図１２のように圧縮ばね６３２の一端は係止部材６１の位置決め孔６１１５上を被覆し、圧縮ばね６３２の他端はガイディング部材６２の凸柱６２６の位置決め孔６２７内に収納される。一般の状況で、圧縮ばねは係止部材６３２に対する反作用力を有するため、係止部材６１の２つ指状部６１３の傾斜作用壁６５１がガイディング部材６２の２つ遷移内壁６２９上にそれぞれ当接され、かつ遷移内壁６２９の作用壁６５１に対する作用力は指状部６１３に対してプレート体６１１に向かって圧縮されるようにする。このような圧縮状態は指状部６１３の第２歯状部６１１９およびプレート体６１１の第１歯状部６１１３に対してそれぞれ靴紐４０の第１靴紐先４１および第２靴紐先４２を押圧するようにし、それにより、靴紐４０が押圧されて係止部材６１に対して摺動することがなく、更に靴紐４０を引締める。
【００３１】
靴紐４０の緩さ程度を調整し、または古い靴紐を交換するときに、使用者はただ押圧柄６１１２を押動することで、圧縮ばね６３２を更に圧縮させ、係止部材６１が更にガイディング部材６２内に深く入込まれる。深さが増加することで、傾斜作用壁６５１は漸次に遷移内壁６２９に沿って第２ガイド内壁６３０に向かって移動する。２つ遷移内壁６２９間の距離が上から下へ漸次に増加すると同時に、２つ第２ガイド内壁６３０間の距離は、係止部材６１の２つ指状部６１３が圧縮されないときの両者間の最大距離より若干大きいため、指状部６１３の圧縮状態が漸次に解消され、即ち、指状部６１３およびプレート体６１１間の距離が漸次に増加され、これにより、靴紐４０の押圧を受ける程度は靴紐４０が完全に弛緩されるまで漸次に弱くなる。この際に、気軽く靴紐の調整ができ、または靴紐を交換することができる。
【００３２】
総括的に、本発明が提供する靴紐緩さ制御装置（係止部材およびガイディング部材の組合）は係止部材およびガイディング部材間の係合を通じて靴紐緩さ程度の調節、または靴紐の交換を実現することができる。例えば、靴紐緩さ制御装置および靴紐の組合と、前記靴紐固定具を有する靴とを結合すると、従来技術に比べて更に便利な靴を製造することができる。靴紐固定具３０、靴紐４０、靴５０および靴紐緩さ制御装置６０間の相互の係合関係は図１３に示す。
【００３３】
上記に記述したのはただ本発明の最適な実施例に限り、該実施例を用いて本発明の権利範囲を限定することなく、そのため本発明の特許請求の範囲に従う同じ変化は、依然として本発明が含む範囲に属する。
【図１】
2011512178.tif 000003
【図２ａ】
2011512178.tif 000004
【図２ｂ】
2011512178.tif 000005
【図３ａ】
2011512178.tif 000006
【図３ｂ】
2011512178.tif 000007
【図３ｃ】
2011512178.tif 000008
【図３ｄ】
2011512178.tif 000009
【図３ｅ】
2011512178.tif 000010
【図３ｆ】
2011512178.tif 000011
【図３ｇ】
2011512178.tif 000012
【図４ａ】
2011512178.tif 000013
【図４ｂ】
2011512178.tif 000014
【図４ｃ】
2011512178.tif 000015
【図４ｄ】
2011512178.tif 000016
【図５】
2011512178.tif 000017
【図６】
2011512178.tif 000018
【図７】
2011512178.tif 000019
【図８ａ】
2011512178.tif 000020
【図８ｂ】
2011512178.tif 000021
【図９ａ】
2011512178.tif 000022
【図９ｂ】
2011512178.tif 000023
【図１０ａ】
2011512178.tif 000024
【図１０ｂ】
2011512178.tif 000025
【図１０ｃ】
2011512178.tif 000026
【図１０ｄ】
2011512178.tif 000027
【図１１】
2011512178.tif 000028
【図１２】
2011512178.tif 000029
【図１３】
2011512178.tif 000030
【国際調査報告】
2011512178.tif 000031
2011512178.tif 000032
2011512178.tif 000033
2011512178.tif 000034
2011512178.tif 000035
2011512178.tif 000036